(57)【要約】  【課題】回転ツマミの制動力の調節にあたっては専用の工具が不要であって、且つ、意匠的にも優れた構造の回転ツマミの制動力調節機構を提供すること。  【解決手段】本発明にかかる回転ツマミの制動力調節機構では、回転ツマミを半径方向に押圧する押圧部材と、前記押圧部材による押圧力を外部から加えられた操作量に応じて加減調節する調節手段とを備えた。前記押圧部材は、回転ツマミの裏側に形成された内壁面を、軸芯から半径方向に押圧するように構成し、前記調節手段は、回転ツマミの下方に配設された操作スライド体と、該操作スライド体の位置に応じた押圧力を押圧力部材に加える連結手段とから構成し、前記押圧部材、前記操作スライド体、もしくは前記回転板の少なくとも何れかを、前記操作量に応じた位置に保持する保持手段を付加した。【選択図】      図２
2005196308.tif 000002
【特許請求の範囲】
【請求項１】
回転ツマミを半径方向に押圧する押圧部材と、
前記押圧部材による押圧力を外部から加えられた操作量に応じて加減調節する調節手段とを備えたことを特徴とする回転ツマミの制動力調節機構。
【請求項２】
前記押圧部材は、
回転ツマミの裏側に形成された内壁面を、軸芯から半径方向に押圧するように構成されていることを特徴とする請求項１に記載の回転ツマミの制動力調節機構。
【請求項３】
前記調節手段は、
回転ツマミの下方に配設された操作スライド体と、
該操作スライド体の位置に応じた押圧力を押圧力部材に加える連結手段と
から構成されていることを特徴とする請求項１、２の何れか１項に記載の回転ツマミの制動力調節機構。
【請求項４】
前記連結手段は、
前記操作スライド体のスライド量に応じて回転する回転板と、
該回転板の回転角に応じた押圧力を前記押圧部材に加える固定板と
を備えていることを特徴とする請求項３に記載の回転ツマミの制動力調節機構。
【請求項５】
前記押圧部材、前記操作スライド体、もしくは前記回転板の少なくとも何れかを、前記操作量に応じた位置に保持する保持手段を付加したことを特徴とする請求項１から４の何れか１項に記載の回転ツマミの制動力調節機構。
【発明の詳細な説明】
【技術分野】
【０００１】
本発明は、無線機のメインダイヤルの回転ツマミのように、周波数を微調整するために微妙な操作を行ったり、周波数を大きく変更するために早く操作したりするような回転ツマミの制動力を調節する機構に関するものである。
【背景技術】
【０００２】
従来より、回転ツマミの制動力を調節する機構に関しては、回転ツマミの側面にフェルト等のパッドを押し当てるような構成が提案されている（例えば、特許文献１、２参照）
【０００３】
【特許文献１】特開平８−２１１９５７号公報
【特許文献２】特開平９−３４５７５号公報
【発明の開示】
【発明が解決しようとする課題】
【０００４】
特許文献１には、ダイヤル軸の軸回り方向の回転が規制された固定部材と、スプリングによって前記固定部材に押圧された摩擦部材と、前記固定部材と摩擦部材とに設けられた孔に遊挿されたダイヤル軸の端部に嵌合された回転ツマミを備え、前記回転ツマミに配設された進退自在なネジによって前記スプリングの圧縮力を調節する圧縮調節手段を備えた回転つまみの制動力調整機構が開示されている。
特許文献２では、回転ツマミと同軸に回動自在に取り付けられた回転可能な操作板に、操作レバーと、一対の舌片を備え、舌片の表面に貼付したフェルトを前記回転ツマミの裏面に押し当てる力を調節することによって制動力が変化するように構成されている。
しかし、特許文献１に記載のものは、制動力を調節するときには、前記ネジを調節するための工具（ドライバー等）が必要であり、手軽に調節できないという問題がある。
また、特許文献２に記載のものは、制動力を調節するための操作板に操作レバーが突設されているので、回転ツマミの横に前記操作レバーが露出することになって意匠面で好ましくないという問題があった。また、制動力を増すためにフェルトを回転ツマミの裏面に強く押し当て過ぎると、回転ツマミが軸から抜ける危険性もあった。
【０００５】
そこで、本発明は、制動力の調節にあたっては専用の工具が不要であって、且つ、意匠的にも優れた構造の回転ツマミの制動力調節機構を提供することを目的としてなされたものである。
【課題を解決するための手段】
【０００６】
本発明にかかる回転ツマミの制動力調節機構の請求項１は、回転ツマミを半径方向に押圧する押圧部材と、前記押圧部材による押圧力を外部から加えられた操作量に応じて加減調節する調節手段とを備えた。
請求項２では、前記押圧部材は、回転ツマミの裏側に形成された内壁面を、軸芯から半径方向に押圧するように構成されている。
請求項３では、前記調節手段は、回転ツマミの下方に配設された操作スライド体と、該操作スライド体の位置に応じた押圧力を押圧力部材に加える連結手段とから構成されている。
請求項４では、前記連結手段は、前記操作スライド体のスライド量に応じて回転する回転板と、該回転板の回転角に応じた押圧力を前記押圧部材に加える固定板とを備えている。
請求項５では、
前記押圧部材、前記操作スライド体、もしくは前記回転板の少なくとも何れかを、前記操作量に応じた位置に保持する保持手段を付加した。
【発明の効果】
【０００７】
本発明の回転ツマミの制動力調節機構によれば、
押圧部材によって、回転ツマミの軸方向ではなく前記回転ツマミの半径方向に押圧するので、制動力を調節するのに工具を要することもなく、また、前記回転ツマミが抜けたり損傷を受けたりする問題を解決するので、優れた操作性が得られる。
また、前記押圧部材によって、前記回転ツマミの裏側に形成された内壁面を、軸芯から半径方向に押圧するように構成したので、前記押圧部材を前記回転ツマミの裏側に目立たないように配設できるので、前記回転ツマミの周辺の外観を損なわない。
また、調節手段としての操作スライド体を回転ツマミの下方に配設したので、前記回転ツマミの周辺に調節手段を目立たないように構成でき、前記回転ツマミの周辺の外観を損なわない。
また、前記操作スライド体の位置に応じた押圧力を前記押圧力部材に加える連結手段を、前記操作スライド体のスライド量に応じて回転する回転板と、該回転板の回転角に応じた押圧力を前記押圧部材に加える固定板とで構成したので、簡単な構成で優れた操作性が得られる。
また、保持手段によって、前記押圧部材、前記操作スライド体、もしくは前記回転板の少なくとも何れかを、操作量に応じた位置に保持するので、押圧力が勝手に変化しにくくなり、優れた操作性が得られる。
【発明を実施するための最良の形態】
【０００８】
以下に、本発明にかかる回転ツマミの制動力調節機構を、その実施の形態を採用した無線通信機の図面を参照しつつ詳細に説明する。
図１は前記無線通信機の全体斜視図であり、この無線通信機１の前面の操作パネル２には大型の液晶ディスプレイ装置12や、運用周波数等の設定を行うためのメインダイヤルの回転ツマミ３や、各種の操作スイッチ・回転ツマミ類が配設されている。
【０００９】
前記回転ツマミ３には本発明の実施例の回転ツマミの制動力調節機構４が採用されており、回転ツマミ３の回転操作に関しては、使用者がドライバー等の工具を要することなく、好みの強さの制動力に容易に調節できるように構成されている。
前記回転ツマミの制動力調節機構４の制動力を調節するための操作スライド体６は、前記回転ツマミ３の下部に配設され、操作パネル２の正面側には露出しないように配設されている。
図２、３、４、５を参照して前記回転ツマミの制動力調節機構４を説明する。
【００１０】
図２は制動力を加えていない状態の回転ツマミの制動力調節機構４の説明図であり、図２の（ａ）は、操作パネル２の裏側から回転ツマミの制動力調節機構４を見た背面図である。図２の（ｂ）は、図２の（ａ）のＡ−Ａ線断面図である。
図２の（ａ）、（ｂ）において、回転ツマミ３は、ロータリーエンコーダ41の軸に嵌められており、前記ロータリーエンコーダ41は操作パネル２の一部に固定板42と共にナット43で固定されている。前記固定板42には、前記回転ツマミ３の背面に形成された溝31内まで延設された腕45が形成されている。前記腕45の先端の外面にはフェルト製等のパッド46が取り付けられている。
前記固定板42の回転ツマミ側から見た正面図を図５の（ａ）に示し、平面図を図５の（ｂ）に示した。
【００１１】
図２の（ａ）、（ｂ）において、前記回転ツマミ３の軸とは独立して回動自在な回転板51が前記操作パネル２に取り付けられている。この回転板51の外周には半径のことなる弧状のカム部52が形成されている。図３の（ａ）に示したように、このカム部52は半径の小さな小径部分52ａと、半径が徐々に拡大する拡径部分52ｂとが、それぞれ軸を中心とした点対象の位置に形成されている。なお、前記小径部分52ａ、52ａ間の距離Ｗａは前記拡径部分52ｂ、52ｂ間の距離Ｗｂより小さい。
【００１２】
また、図２の（ａ）、図３の（ａ）に示したように、前記回転板51の外周には連結腕53が半径方向に延設されており、前記連結腕53の先端部分54は折り曲げられて、前記操作スライド体６に形成された穴61に遊挿されている。前記操作スライド体６の操作用凸部62は、前記操作パネル２の下面に形成された操作孔63に僅かに露出させて配設されている。
また、前記連結腕53と反対方向には係止腕55が半径方向に延設され、前記係止腕55の先端部分には係止突起56が形成されている。この係止突起56は前記操作パネル２の一部に形成された複数の凹凸溝57の何れかの凹部に押し当てられて係止するように付勢されている。
なお、パッド46は特許請求の範囲に記載された押圧部材を構成し、
操作スライド体６、固定板42、腕45、回転板51、カム部52、連結腕53、先端部分54、操作スライド体６の穴61は、特許請求の範囲に記載された調節手段を構成し、
固定板42、腕45、回転板51、カム部52、連結腕53、先端部分54、操作スライド体６の穴61は、特許請求の範囲に記載された連結手段を構成している。
【００１３】
図２の（ｂ）、図３の（ｂ）、及び図４の（ｂ）に示したように、前記回転ツマミ３の裏側には所定半径の円周に沿って溝31が形成されており、前記溝31の内壁面32の直径Ｗｄは、外力の影響のない状態での前記固定板42のパッド46間の距離Ｗｃより大きい。
前記固定板42において外力の影響のない状態とは、図２の（ａ）及び図３の（ｃ）に示したように、前記回転板51の外周のカム部52は、前記固定板42の腕45を拡径していない状態である。
【００１４】
次に、図３の（ｄ）及び図４の（ａ）に示したように、操作スライド体６を矢印方向へスライドさせると、穴61も矢印方向へスライドする。従って、前記穴61に遊挿されている前記回転板51の先端部分54もともに矢印方向へ移動するので、前記回転板51は図３の（ｄ）及び図４の（ａ）に示したような状態に回転移動する。
従って、前記固定板42の腕45に対応する前記回転板51のカム部52は、小径部分52ａから拡径部分52ｂへ回動するので、前記カム部52、52間の距離が広がってＷｂとなる。
それによって、前記固定板42の両腕45が押し広げられ、図４の（ｂ）に示したように、前記パッド46、46が前記内壁面32に押しつけられて、パッド46と内壁面32との間の摩擦抵抗が増大する。従って、前記回転ツマミ３を回転操作する場合には、前記摩擦抵抗による制動が加えられ、微妙な回転操作を行いやすくなる。
前記回転板51のカム部52の拡径部分52ｂは徐々に拡径しているので、前記操作スライド体６をスライドさせる量に応じて前記摩擦抵抗による制動効果は調節される。
【００１５】
なお、図２の（ａ）及び図４の（ａ）に示したように、前記回転板51の係止突起56は前記操作パネル２の凹凸溝57に押し当てられているので、前記操作スライド体６を操作しない限り、勝手には動かない。従って、前記図３の（ｄ）及び図４の（ａ）、（ｂ）の状態は保持される。
【００１６】
図３の（ａ）に示されている前記操作スライド体６を矢印と逆方向にスライドさせて、図２の（ａ）、（ｂ）、図３の（ｃ）の状態に戻すと、前記パッド46、46は前記回転ツマミ３の内壁面32から離れるので前記パッド46、46と前記回転ツマミ３の内壁面32との間の摩擦抵抗は無くなり、回転ツマミ３の回転操作は最も軽い状態となる。
【００１７】
前記操作スライド体６は前記回転ツマミ３の下部に配設され、操作用凸部62は、前記操作パネル２の下面に形成された操作孔63に僅かに露出させているだけであって、操作パネル２の正面側には全く露出していないので、無線通信機の意匠に悪影響を与えない。また、回動式の調節機構ではなく、スライド式の回転ツマミの制動力調節機構であるので、回転ツマミの制動力調節機構部分においても優れた美観が得られる。また、操作パネル２の下側に指先を入れて前記操作用凸部62を操作させやすいので、工具が不要であって優れた操作性が得られる。
【００１８】
さらに、制動力を与えるために回転ツマミにパッドを押し当てる方向が、回転ツマミの半径方向であるのであって、回転ツマミを引き抜く方向ではないので、制動力を与えても回転ツマミが抜け落ちる心配もない。
【実施例１】
【００１９】
本発明の実施例では、図２、３、４に示したように、操作スライド体６の位置がどこであってもその位置を保持できるように、凹凸構造57は等間隔とした。また、カム部52の小径部分52ａは円弧状とし、拡径部分52ｂは直線状として位置に応じて径が変わるように構成した。また、カム部52は２個所、固定板42の腕45は２本、パッド46は２個所に設けた。そして、前記操作パネル２には前記回転ツマミ３と同軸の短い円筒状の凸部21を設け、該凸部22に回転板51を回転自在に装着した。
なお、カム部52の形状は図示した形状に限定されるものではなく、調節手段の位置に応じて径が変わる構成であればよい。また、カム部52、固定板42の腕45、及びパッド46は２個所に限定されるものではなく、回転ツマミに対して均等に押圧力が加わる構成であればよい。
【産業上の利用可能性】
【００２０】
本発明の回転ツマミの制動力調節機構は、無線通信機だけでなく、種々の電子機器の回転ツマミに採用することができる。
【図面の簡単な説明】
【００２１】
【図１】本発明にかかる回転ツマミの制動力調節機構の実施の形態を採用した無線通信機の斜視図である。
【図２】制動力を弱くした状態における回転ツマミ周りの詳細図であり、図２の（ａ）は裏側から見た詳細図、図２の（ｂ）は図２の（ａ）のＡ−Ａ線断面図である。
【図３】図２の要部の動作を説明する説明図であり、図３の（ａ）は制動力が中間の状態の説明図、図３の（ｂ）は制動力が弱い状態の説明図、図３の（ｃ）は制動力が強い状態の説明図である。
【図４】制動力を強くした状態における回転ツマミ周りの詳細図であり、図４の（ａ）は裏側から見た詳細図、図４の（ｂ）は図４の（ａ）のＡ−Ａ線断面図である。
【図５】固定板の詳細図であり、図５の（ａ）は単体での平面図、図５の（ｂ）は回転ツマミとの関係を示した断面図である。
【符号の説明】
【００２２】
１    無線通信機
２    操作パネル
３    回転ツマミ
31    溝
32    内壁面
４    回転ツマミの制動力調節機構
42    固定板
45    腕
46    パッド、押圧部材
51    回転板
52    カム部
52ａ  小径部分
52ｂ  拡径部分
53    連結腕
54    先端部分
55    掛止腕
56    掛止突起
57    凹凸溝
６    操作スライド体
61    穴
62    操作凸部
42、45、51、52、53、54、６、61  調節手段
42、45、51、52、53、54、61      連結手段
【図１】
2005196308.tif 000003
【図２】
2005196308.tif 000004
【図３】
2005196308.tif 000005
【図４】
2005196308.tif 000006
【図５】
2005196308.tif 000007